(57)【要約】【課題】    傘立てにおいては、狭い設置場所に対応できる小型のものは傘を立てた状態で全体の重心が上がり安定感が低くなってしまう。また高比重素材で一体成形されたようなものは丈夫で全体の重心が下がり安定感が高くなるが、傘立て単体での重心が上がり安定感が低下し、且つ重過ぎて持ち運びや水抜きの際に不便である。【解決手段】  傘を収容する複数の収容部３（４）を備える本体部６と、床面等に接地される基台部７を別体とし、本体部６が合理的に基台部７に支持される構造とする。【選択図】         図１
2018068845.tif 000002
【特許請求の範囲】
【請求項１】
畳んだ傘の先端部がそれぞれの開口から挿入されることで前記畳んだ傘を立てることが可能な第１収容部及び第２収容部の間に曲面状の底部外郭が配置される本体部と、
前記曲面状の底部外郭を支持し平面に接地される基台部と、
を具備し、
前記基台部は前記平面に対する前記本体部の角度調整可能に前記曲面状の底部外郭を支持することを特徴とする、傘立て。
【請求項２】
畳んだ傘の先端部がそれぞれの開口から挿入されることで前記畳んだ傘を立てることが可能な第１収容部及び第２収容部の間に曲面状の底部外郭が配置される本体部と、
前記曲面状の底部外郭を支持し平面に接地される基台部と、
を具備し、
前記第１収容部及び前記第２収容部をそれぞれ内側に備える第１筒状部及び第２筒状部をつなぐ棒状部に前記曲面状の底部外郭が配置されることを特徴とする、傘立て。
【発明の詳細な説明】
【技術分野】
【０００１】
本発明は、傘立てに関する。
【背景技術】
【０００２】
傘立てにおいては、特許文献１の実施例のように床面等の平面に接地される基台部から一体に立ち上がる本体部上端の複数の開口からそれぞれ基台部方向に延びる丸穴状の収容部が備えられる製品が知られている。このような製品では、畳まれた傘の先端部が開口から挿入され傘は収容部に直立保持される。
【先行技術文献】
【特許文献】
【０００３】
【特許文献１】実開平０６−０６６４６６号公報
【発明の概要】
【発明が解決しようとする課題】
【０００４】
傘立てにおいては、狭い設置場所に対応できる小型のものは傘を立てた状態で全体の重心が上がり安定感が低くなってしまう。また高比重素材で一体成形されたようなものは丈夫で全体の重心が下がり安定感が高くなるが、傘立て単体での重心が上がり安定感が低下し、且つ重過ぎて持ち運びや水抜きの際に不便である。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係る傘立ては、例えば図１から２の組み、図３から４の組み、図５から６の組み、のいずれかの組みのように、
畳んだ傘の先端部がそれぞれの開口１及び２から挿入されることで前記畳んだ傘を立てることが可能な収容部３及び４の間に曲面状の底部外郭５が配置される本体部６と、
曲面状の底部外郭５を支持し床面等の平面に接地される基台部７と、
を具備し、
基台部７は前記平面に対する本体部６の角度調整可能に曲面状の底部外郭５を支持することを特徴とする、傘立てである。
【０００７】
発明２に係る傘立ては、例えば図１から２の組み、図３から４の組み、のいずれかの組みのように、
畳んだ傘の先端部がそれぞれの開口１及び２から挿入されることで前記畳んだ傘を立てることが可能な収容部３及び４の間に曲面状の底部外郭５が配置される本体部６と、
曲面状の底部外郭５を支持し床面等の平面に接地される基台部７と、
を具備し、
収容部３及び４をそれぞれ内側に備える筒状部８及び９をつなぐ棒状部１０に曲面状の底部外郭５が配置されることを特徴とする、傘立てである。
【発明の効果】
【０００８】
以上のように本発明では、本体部６において傘を保持するのに適した構造や素材の選択、基台部７において床面等の平面に広く接地され且つ重心を低くするのに適した構造や素材の選択をする為に本体部６と基台部７が別体成形されても、収容部３及び４の保持する傘による荷重が相殺されやすい間の位置の曲面状の底部外郭５を基台部７が支持し、支持部の面圧上昇や応力集中を効果的に抑えることで丈夫さも得られるような設計が容易となる。
【０００９】
また発明１では、本発明の効果に加えて、曲面状の底部外郭５を合理的に使用した相対角度調整可能な支持部構造設計が容易となり、水はけを考慮して斜面であることが多い玄関や軒下等に設置する際に傘を直立させ易くなり、傘立ての丈夫さや全体の安定感につながる。
【００１０】
また発明２では、本発明の効果に加えて、筒状部８、棒状部１０、筒状部９の順につながるシンプルな構造の本体部６の筒状部８及び９の内側に傘を収容し、間の棒状部１０に曲面状の底部外郭５による支持部が配置されるという極めて合理的な構造設計が容易となる。
【図面の簡単な説明】
【００１１】
【図１】第１実施形態の第１状態を第三角法で表した図
【図２】第１実施形態の第２状態を第三角法で表した図
【図３】第２実施形態の第１状態を第三角法で表した図
【図４】第２実施形態の第２状態を第三角法で表した図
【図５】第３実施形態の第１状態を第三角法で表した図
【図６】第３実施形態の第２状態を第三角法で表した図
【図７】第４実施形態の第１及び第２状態を表した図
【発明を実施するための形態】
【００１２】
本発明の第１実施形態を図１から２に基づいて説明する。
【００１３】
本体部６は金属製の丸パイプをＵ字状に曲げたものであり、丸パイプの一端が筒状部８の内側の収容部３の開口１となっており、他端が筒状部９の内側の収容部４の開口２となっている。また筒状部８及び９をつなぐ棒状部１０も連続する筒状であり、内側は傘の先端の石突から滴る水の貯蔵が可能である。また、石突に合わせた内周形状となるように筒状部８及び９の内側に嵌る石突サポート部材を入れておいてもよいだろう。
基台部７は小判状のブロック１４が主であり、金属粉を配合した高比重樹脂成形品の裏面に貼られたゴム製の接地部１１が床面等の平面に接地され、表面の中央には棒状部１０の曲面状の底部外郭５と嵌合する凹形状が設けられており、凹形状の中央でブロック１４を貫通する長穴１２の一端を通るボルト１３の雄ネジが曲面状の底部外郭５に予め設けられた雌ネジと螺合し、本体部６と基台部７の固定手段となっている。図１の第１状態からこのボルト１３を緩めて基台部７を曲面状の底部外郭５に沿うように１０度揺動させると図２のような第２状態でボルト１３が長穴１２の他端に移動し、ボルト１３を締めるとその角度で固定できる。また、角度調整が第１及び第２状態の二段階のみでよい場合は、長穴１２ではなく長穴１２の一端及び他端の位置にボルト１３の雄ネジが通れる貫通穴を設けておけばよいだろう。
例えば玄関の内側に雨水が入ってこないように玄関の外側に向かって１０度で下っている所に第２状態の傘立てを設置すれば収容部３及び４に収容された傘が直立しやすくなるので、全体として安定感が高くなる。
また、基台部７を複数連結できる、例えばジグソーパズルのような構造を設けておけば、傘立てを複数並べた際により安定感が得られるだろう。
【００１４】
本発明の第２実施形態は第１実施形態と共通する部分が多いので、主に違いについて図３及び４に基づいて説明する。
【００１５】
第２実施形態の本体部６は第１実施形態の本体部６から雌ネジを取り去ったものである。
基台部７は平面状の接地部１１に垂直でブロック１４の長手方向に沿うように設けられた割り１５によっておよそ二分割され帯状部１６でつながっているブロック１４が主であり、均等な半径で曲げられた棒状部１０に帯状部１６が巻き回されブロック１４が棒状部１０に嵌合しており、割り１５を塞ぐよう締め付け可能に配置されたボルト１３によって本体部６と基台部７は固定されている。また、ブロック１４は柔軟性のある樹脂成形品で帯状部１６は屈曲自在であり、ブロック１４内部には錘となる金属片が埋め込まれている。
【００１６】
また本発明の第１及び第２実施形態において、本体部６の丸パイプの代わりに角パイプを用いてもよいだろう。
【００１７】
本発明の第３実施形態を図５から６に基づいて説明する。
【００１８】
本体部６は硬質ゴム製の円錐台状で上部には開口１及び２を含む５個の開口があり、それぞれが底面側に延びる丸穴状の収容部３及び４を含む５個の収容部の開口となっている。また底部全体が点１８を中心とする球面状に凹んでおり、この球面に曲面状の底部外郭５が配置される。
基台部７は金属製の円盤状で裏面の全面に貼られたゴムシートの接地部１１が床面等の平面に接地される。また表面は本体部６の底部の球面に嵌合する凸状球面１９である。
図５の第１状態で点１８を通り基台部７の裏面に垂直な方向から５度傾いた軸線１７を中心とする回転軸構造が本体部６と基台部７の間に設けられており、軸線１７を中心に本体部６と基台部７を相対回転させると床面等の平面に対する本体部６の角度調整可能であり、１８０度相対回転させることで図６の第２状態になり床面等の平面に対して本体部６が１０度傾く。例えば玄関の内側に雨水が入ってこないように玄関の外側に向かって１０度で下っている所に第２状態の傘立てを設置すれば収容部３及び４に収容された傘が直立しやすくなるので、全体として安定感が高くなる。
また、軸線１７を中心とする回転軸構造の軸線１７方向に対する抜け止めとしてボルト１３が設けられているが、ボルト１３を締めこむことで回転を固定する構造でもよいだろう。
また、ボルト１３を取り去り、本体部６の自重による摩擦力やローレット等による凹凸嵌合構造を本体部６と基台部７の間に設けて本体部６と基台部７を止める構造にしておけば、収容部３等に溜まった水を抜く為に本体部６のみ持ち上げて流し台に持ち運ぶことが容易となり、軽くて楽な作業となるだろう。
【００１９】
本発明の第４実施形態は第３実施形態と共通する部分が多いので、主に違いについて図７に基づいて説明する。
【００２０】
本体部６は上下方向に長い半球状で底部が凸状球面１９であり、ここに曲面状の底部外郭５が配置される。
基台部７は円盤状で表面には凸状球面１９に嵌合する凹状球面が設けられている。
図７右図が第１状態で、そこから床面等の平面に対して１０度傾けたのが図７左図の第２状態である。
【００２１】
また本発明の第３及び第４実施形態において、軸線１７を中心とする回転軸構造の代わりに、第１実施形態のような長穴１２を用いた揺動構造を採用してもよいだろう。しかし、軸線１７を中心とする回転軸構造の方がより安定した細やかな角度調整が可能だろう。
【符号の説明】
【００２２】
１,２.                                 開口
３,４.                                 収容部
５.                                      曲面状の底部外郭
６.                                      本体部
７.                                      基台部
８,９.                                 筒状部
１０.                                  棒状部
１１.                                  接地部
１２.                                  長穴
１３.                                  ボルト
１４.                                  ブロック
１５.                                  割り
１６.                                  帯状部
１７.                                  軸線
１８.                                  点
１９.                                  凸状球面
【図１】
2018068845.tif 000003
【図２】
2018068845.tif 000004
【図３】
2018068845.tif 000005
【図４】
2018068845.tif 000006
【図５】
2018068845.tif 000007
【図６】
2018068845.tif 000008
【図７】
2018068845.tif 000009
【手続補正書】
【提出日】平成28年11月27日(2016.11.27)
【手続補正１】
【補正対象書類名】特許請求の範囲
【補正対象項目名】全文
【補正方法】変更
【補正の内容】
【特許請求の範囲】
【請求項１】
畳んだ傘の先端部がそれぞれの開口から挿入されることで前記畳んだ傘を立てることが可能な第１収容部及び第２収容部の間に面状の底部外郭が配置される本体部と、
前記面状の底部外郭を支持し平面に接地される基台部と、
を具備し、
前記基台部は前記平面に対する前記本体部の角度調整可能に前記面状の底部外郭を支持することを特徴とする、傘立て。
【請求項２】
畳んだ傘の先端部がそれぞれの開口から挿入されることで前記畳んだ傘を立てることが可能な第１収容部及び第２収容部の間に面状の底部外郭が配置される本体部と、
前記面状の底部外郭を支持し平面に接地される基台部と、
を具備し、
前記第１収容部及び前記第２収容部をそれぞれ内側に備える第１筒状部及び第２筒状部をつなぐ棒状部に前記面状の底部外郭が配置されることを特徴とする、傘立て。
【手続補正２】
【補正対象書類名】明細書
【補正対象項目名】全文
【補正方法】変更
【補正の内容】
【発明の詳細な説明】
【技術分野】
【０００１】
本発明は、傘立てに関する。
【背景技術】
【０００２】
傘立てにおいては、特許文献１の実施例のように床面等の平面に接地される基台部から一体に立ち上がる本体部上端の複数の開口からそれぞれ基台部方向に延びる丸穴状の収容部が備えられる製品が知られている。このような製品では、畳まれた傘の先端部が開口から挿入され傘は収容部に直立保持される。
【先行技術文献】
【特許文献】
【０００３】
【特許文献１】実開平０６−０６６４６６号公報
【発明の概要】
【発明が解決しようとする課題】
【０００４】
傘立てにおいては、狭い設置場所に対応できる小型のものは傘を立てた状態で全体の重心が上がり安定感が低くなってしまう。また高比重素材で一体成形されたようなものは丈夫で全体の重心が下がり安定感が高くなるが、傘立て単体での重心が上がり安定感が低下し、且つ重過ぎて持ち運びや水抜きの際に不便である。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係る傘立ては、例えば図１から２の組み、図３から４の組み、図５から６の組み、のいずれかの組みのように、
畳んだ傘の先端部がそれぞれの開口１及び２から挿入されることで前記畳んだ傘を立てることが可能な収容部３及び４の間に面状の底部外郭５が配置される本体部６と、
面状の底部外郭５を支持し床面等の平面に接地される基台部７と、
を具備し、
基台部７は前記平面に対する本体部６の角度調整可能に面状の底部外郭５を支持することを特徴とする、傘立てである。
【０００７】
発明２に係る傘立ては、例えば図１から２の組み、図３から４の組み、のいずれかの組みのように、
畳んだ傘の先端部がそれぞれの開口１及び２から挿入されることで前記畳んだ傘を立てることが可能な収容部３及び４の間に面状の底部外郭５が配置される本体部６と、
面状の底部外郭５を支持し床面等の平面に接地される基台部７と、
を具備し、
収容部３及び４をそれぞれ内側に備える筒状部８及び９をつなぐ棒状部１０に面状の底部外郭５が配置されることを特徴とする、傘立てである。
【発明の効果】
【０００８】
以上のように本発明では、本体部６において傘を保持するのに適した構造や素材の選択、基台部７において床面等の平面に広く接地され且つ重心を低くするのに適した構造や素材の選択をする為に本体部６と基台部７が別体成形されても、収容部３及び４の保持する傘による荷重が相殺されやすい間の位置の面状の底部外郭５を基台部７が支持し、支持部の面圧上昇や応力集中を効果的に抑えることで丈夫さも得られるような設計が容易となる。
【０００９】
また発明１では、本発明の効果に加えて、面状の底部外郭５を合理的に使用した相対角度調整可能な支持部構造設計が容易となり、水はけを考慮して斜面であることが多い玄関や軒下等に設置する際に傘を直立させ易くなり、傘立ての丈夫さや全体の安定感につながる。
【００１０】
また発明２では、本発明の効果に加えて、筒状部８、棒状部１０、筒状部９の順につながるシンプルな構造の本体部６の筒状部８及び９の内側に傘を収容し、間の棒状部１０に面状の底部外郭５による支持部が配置されるという極めて合理的な構造設計が容易となる。
【図面の簡単な説明】
【００１１】
【図１】第１実施形態の第１状態を第三角法で表した図
【図２】第１実施形態の第２状態を第三角法で表した図
【図３】第２実施形態の第１状態を第三角法で表した図
【図４】第２実施形態の第２状態を第三角法で表した図
【図５】第３実施形態の第１状態を第三角法で表した図
【図６】第３実施形態の第２状態を第三角法で表した図
【図７】第４実施形態の第１及び第２状態を表した図
【発明を実施するための形態】
【００１２】
本発明の第１実施形態を図１から２に基づいて説明する。
【００１３】
本体部６は金属製の丸パイプをＵ字状に曲げたものであり、丸パイプの一端が筒状部８の内側の収容部３の開口１となっており、他端が筒状部９の内側の収容部４の開口２となっている。また筒状部８及び９をつなぐ棒状部１０も連続する筒状であり、内側は傘の先端の石突から滴る水の貯蔵が可能である。また、石突に合わせた内周形状となるように筒状部８及び９の内側に嵌る石突サポート部材を入れておいてもよいだろう。
基台部７は小判状のブロック１４が主であり、金属粉を配合した高比重樹脂成形品の裏面に貼られたゴム製の接地部１１が床面等の平面に接地され、表面の中央には棒状部１０の曲面状の底部外郭５と嵌合する凹形状が設けられており、凹形状の中央でブロック１４を貫通する長穴１２の一端を通るボルト１３の雄ネジが曲面状の底部外郭５に予め設けられた雌ネジと螺合し、本体部６と基台部７の固定手段となっている。図１の第１状態からこのボルト１３を緩めて基台部７を曲面状の底部外郭５に沿うように１０度揺動させると図２のような第２状態でボルト１３が長穴１２の他端に移動し、ボルト１３を締めるとその角度で固定できる。また、角度調整が第１及び第２状態の二段階のみでよい場合は、長穴１２ではなく長穴１２の一端及び他端の位置にボルト１３の雄ネジが通れる貫通穴を設けておけばよいだろう。
例えば玄関の内側に雨水が入ってこないように玄関の外側に向かって１０度で下っている所に第２状態の傘立てを設置すれば収容部３及び４に収容された傘が直立しやすくなるので、全体として安定感が高くなる。
また、基台部７を複数連結できる、例えばジグソーパズルのような構造を設けておけば、傘立てを複数並べた際により安定感が得られるだろう。
【００１４】
本発明の第２実施形態は第１実施形態と共通する部分が多いので、主に違いについて図３及び４に基づいて説明する。
【００１５】
第２実施形態の本体部６は第１実施形態の本体部６から雌ネジを取り去ったものである。
基台部７は平面状の接地部１１に垂直でブロック１４の長手方向に沿うように設けられた割り１５によっておよそ二分割され帯状部１６でつながっているブロック１４が主であり、均等な半径で曲げられた棒状部１０に帯状部１６が巻き回されブロック１４が棒状部１０に嵌合しており、割り１５を塞ぐよう締め付け可能に配置されたボルト１３によって本体部６と基台部７は固定されている。また、ブロック１４は柔軟性のある樹脂成形品で帯状部１６は屈曲自在であり、ブロック１４内部には錘となる金属片が埋め込まれている。
【００１６】
また本発明の第１及び第２実施形態において、本体部６の丸パイプの代わりに角パイプを用いてもよいだろう。
【００１７】
本発明の第３実施形態を図５から６に基づいて説明する。
【００１８】
本体部６は硬質ゴム製の円錐台状で上部には開口１及び２を含む５個の開口があり、それぞれが底面側に延びる丸穴状の収容部３及び４を含む５個の収容部の開口となっている。また底部全体が点１８を中心とする球面状に凹んでおり、この球面に曲面状の底部外郭５が配置される。
基台部７は金属製の円盤状で裏面の全面に貼られたゴムシートの接地部１１が床面等の平面に接地される。また表面は本体部６の底部の球面に嵌合する凸状球面１９である。
図５の第１状態で点１８を通り基台部７の裏面に垂直な方向から５度傾いた軸線１７を中心とする回転軸構造が本体部６と基台部７の間に設けられており、軸線１７を中心に本体部６と基台部７を相対回転させると床面等の平面に対する本体部６の角度調整可能であり、１８０度相対回転させることで図６の第２状態になり床面等の平面に対して本体部６が１０度傾く。例えば玄関の内側に雨水が入ってこないように玄関の外側に向かって１０度で下っている所に第２状態の傘立てを設置すれば収容部３及び４に収容された傘が直立しやすくなるので、全体として安定感が高くなる。
また、軸線１７を中心とする回転軸構造の軸線１７方向に対する抜け止めとしてボルト１３が設けられているが、ボルト１３を締めこむことで回転を固定する構造でもよいだろう。
また、ボルト１３を取り去り、本体部６の自重による摩擦力やローレット等による凹凸嵌合構造を本体部６と基台部７の間に設けて本体部６と基台部７を止める構造にしておけば、収容部３等に溜まった水を抜く為に本体部６のみ持ち上げて流し台に持ち運ぶことが容易となり、軽くて楽な作業となるだろう。
【００１９】
本発明の第４実施形態は第３実施形態と共通する部分が多いので、主に違いについて図７に基づいて説明する。
【００２０】
本体部６は上下方向に長い半球状で底部が凸状球面１９であり、ここに曲面状の底部外郭５が配置される。
基台部７は円盤状で表面には凸状球面１９に嵌合する凹状球面が設けられている。
図７右図が第１状態で、そこから床面等の平面に対して１０度傾けたのが図７左図の第２状態である。
【００２１】
また本発明の第３及び第４実施形態において、軸線１７を中心とする回転軸構造の代わりに、第１実施形態のような長穴１２を用いた揺動構造を採用してもよいだろう。しかし、軸線１７を中心とする回転軸構造の方がより安定した細やかな角度調整が可能だろう。
【符号の説明】
【００２２】
１,２.                                開口
３,４.                                収容部
５.                                     面状の底部外郭
６.                                     本体部
７.                                     基台部
８,９.                                筒状部
１０.                                 棒状部
１１.                                 接地部
１２.                                 長穴
１３.                                 ボルト
１４.                                 ブロック
１５.                                 割り
１６.                                 帯状部
１７.                                 軸線
１８.                                 点
１９.                                 凸状球面
【手続補正書】
【提出日】平成29年1月3日(2017.1.3)
【手続補正１】
【補正対象書類名】特許請求の範囲
【補正対象項目名】全文
【補正方法】変更
【補正の内容】
【特許請求の範囲】
【請求項１】
畳んだ傘の先端部がそれぞれの開口から挿入されることで前記畳んだ傘を立てることが可能な第１収容部及び第２収容部の間に底部外郭が配置される本体部と、
前記底部外郭を支持し平面に接地される基台部と、
を具備し、
前記基台部は前記平面に対する前記本体部の角度調整可能に前記底部外郭を支持することを特徴とする、傘立て。
【請求項２】
畳んだ傘の先端部がそれぞれの開口から挿入されることで前記畳んだ傘を立てることが可能な第１収容部及び第２収容部の間に底部外郭が配置される本体部と、
前記底部外郭を支持し平面に接地される基台部と、
を具備し、
前記第１収容部及び前記第２収容部をそれぞれ内側に備える第１筒状部及び第２筒状部をつなぐ棒状部に前記底部外郭が配置されることを特徴とする、傘立て。
【手続補正２】
【補正対象書類名】明細書
【補正対象項目名】全文
【補正方法】変更
【補正の内容】
【発明の詳細な説明】
【技術分野】
【０００１】
本発明は、傘立てに関する。
【背景技術】
【０００２】
傘立てにおいては、特許文献１の実施例のように床面等の平面に接地される基台部から一体に立ち上がる本体部上端の複数の開口からそれぞれ基台部方向に延びる丸穴状の収容部が備えられる製品が知られている。このような製品では、畳まれた傘の先端部が開口から挿入され傘は収容部に直立保持される。
【先行技術文献】
【特許文献】
【０００３】
【特許文献１】実開平０６−０６６４６６号公報
【発明の概要】
【発明が解決しようとする課題】
【０００４】
傘立てにおいては、狭い設置場所に対応できる小型のものは傘を立てた状態で全体の重心が上がり安定感が低くなってしまう。また高比重素材で一体成形されたようなものは丈夫で全体の重心が下がり安定感が高くなるが、傘立て単体での重心が上がり安定感が低下し、且つ重過ぎて持ち運びや水抜きの際に不便である。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係る傘立ては、例えば図１から２の組み、図３から４の組み、図５から６の組み、のいずれかの組みのように、
畳んだ傘の先端部がそれぞれの開口１及び２から挿入されることで前記畳んだ傘を立てることが可能な収容部３及び４の間に底部外郭５が配置される本体部６と、
底部外郭５を支持し床面等の平面に接地される基台部７と、
を具備し、
基台部７は前記平面に対する本体部６の角度調整可能に底部外郭５を支持することを特徴とする、傘立てである。
【０００７】
発明２に係る傘立ては、例えば図１から２の組み、図３から４の組み、のいずれかの組みのように、
畳んだ傘の先端部がそれぞれの開口１及び２から挿入されることで前記畳んだ傘を立てることが可能な収容部３及び４の間に底部外郭５が配置される本体部６と、
底部外郭５を支持し床面等の平面に接地される基台部７と、
を具備し、
収容部３及び４をそれぞれ内側に備える筒状部８及び９をつなぐ棒状部１０に底部外郭５が配置されることを特徴とする、傘立てである。
【発明の効果】
【０００８】
以上のように本発明では、本体部６において傘を保持するのに適した構造や素材の選択、基台部７において床面等の平面に広く接地され且つ重心を低くするのに適した構造や素材の選択をする為に本体部６と基台部７が別体成形されても、収容部３及び４の保持する傘による荷重が相殺されやすい間の位置の底部外郭５を基台部７が支持し、支持部の面圧上昇や応力集中を効果的に抑えることで丈夫さも得られるような設計が容易となる。
【０００９】
また発明１では、本発明の効果に加えて、底部外郭５を合理的に使用した相対角度調整可能な支持部構造設計が容易となり、水はけを考慮して斜面であることが多い玄関や軒下等に設置する際に傘を直立させ易くなり、傘立ての丈夫さや全体の安定感につながる。
【００１０】
また発明２では、本発明の効果に加えて、筒状部８、棒状部１０、筒状部９の順につながるシンプルな構造の本体部６の筒状部８及び９の内側に傘を収容し、間の棒状部１０に底部外郭５による支持部が配置されるという極めて合理的な構造設計が容易となる。
【図面の簡単な説明】
【００１１】
【図１】第１実施形態の第１状態を第三角法で表した図
【図２】第１実施形態の第２状態を第三角法で表した図
【図３】第２実施形態の第１状態を第三角法で表した図
【図４】第２実施形態の第２状態を第三角法で表した図
【図５】第３実施形態の第１状態を第三角法で表した図
【図６】第３実施形態の第２状態を第三角法で表した図
【図７】第４実施形態の第１及び第２状態を表した図
【発明を実施するための形態】
【００１２】
本発明の第１実施形態を図１から２に基づいて説明する。
【００１３】
本体部６は金属製の丸パイプをＵ字状に曲げたものであり、丸パイプの一端が筒状部８の内側の収容部３の開口１となっており、他端が筒状部９の内側の収容部４の開口２となっている。また筒状部８及び９をつなぐ棒状部１０も連続する筒状であり、内側は傘の先端の石突から滴る水の貯蔵が可能である。また、石突に合わせた内周形状となるように筒状部８及び９の内側に嵌る石突サポート部材を入れておいてもよいだろう。
基台部７は小判状のブロック１４が主であり、金属粉を配合した高比重樹脂成形品の裏面に貼られたゴム製の接地部１１が床面等の平面に接地され、表面の中央には棒状部１０の曲面状の底部外郭５と嵌合する凹形状が設けられており、凹形状の中央でブロック１４を貫通する長穴１２の一端を通るボルト１３の雄ネジが曲面状の底部外郭５に予め設けられた雌ネジと螺合し、本体部６と基台部７の固定手段となっている。図１の第１状態からこのボルト１３を緩めて基台部７を曲面状の底部外郭５に沿うように１０度揺動させると図２のような第２状態でボルト１３が長穴１２の他端に移動し、ボルト１３を締めるとその角度で固定できる。また、角度調整が第１及び第２状態の二段階のみでよい場合は、長穴１２ではなく長穴１２の一端及び他端の位置にボルト１３の雄ネジが通れる貫通穴を設けておけばよいだろう。
例えば玄関の内側に雨水が入ってこないように玄関の外側に向かって１０度で下っている所に第２状態の傘立てを設置すれば収容部３及び４に収容された傘が直立しやすくなるので、全体として安定感が高くなる。
また、基台部７を複数連結できる、例えばジグソーパズルのような構造を設けておけば、傘立てを複数並べた際により安定感が得られるだろう。
【００１４】
本発明の第２実施形態は第１実施形態と共通する部分が多いので、主に違いについて図３及び４に基づいて説明する。
【００１５】
第２実施形態の本体部６は第１実施形態の本体部６から雌ネジを取り去ったものである。
基台部７は平面状の接地部１１に垂直でブロック１４の長手方向に沿うように設けられた割り１５によっておよそ二分割され帯状部１６でつながっているブロック１４が主であり、均等な半径で曲げられた棒状部１０に帯状部１６が巻き回されブロック１４が棒状部１０に嵌合しており、割り１５を塞ぐよう締め付け可能に配置されたボルト１３によって本体部６と基台部７は固定されている。また、ブロック１４は柔軟性のある樹脂成形品で帯状部１６は屈曲自在であり、ブロック１４内部には錘となる金属片が埋め込まれている。
【００１６】
また本発明の第１及び第２実施形態において、本体部６の丸パイプの代わりに角パイプを用いてもよいだろう。
【００１７】
本発明の第３実施形態を図５から６に基づいて説明する。
【００１８】
本体部６は硬質ゴム製の円錐台状で上部には開口１及び２を含む５個の開口があり、それぞれが底面側に延びる丸穴状の収容部３及び４を含む５個の収容部の開口となっている。また底部全体が点１８を中心とする球面状に凹んでおり、この球面に曲面状の底部外郭５が配置される。
基台部７は金属製の円盤状で裏面の全面に貼られたゴムシートの接地部１１が床面等の平面に接地される。また表面は本体部６の底部の球面に嵌合する凸状球面１９である。
図５の第１状態で点１８を通り基台部７の裏面に垂直な方向から５度傾いた軸線１７を中心とする回転軸構造が本体部６と基台部７の間に設けられており、軸線１７を中心に本体部６と基台部７を相対回転させると床面等の平面に対する本体部６の角度調整可能であり、１８０度相対回転させることで図６の第２状態になり床面等の平面に対して本体部６が１０度傾く。例えば玄関の内側に雨水が入ってこないように玄関の外側に向かって１０度で下っている所に第２状態の傘立てを設置すれば収容部３及び４に収容された傘が直立しやすくなるので、全体として安定感が高くなる。
また、軸線１７を中心とする回転軸構造の軸線１７方向に対する抜け止めとしてボルト１３が設けられているが、ボルト１３を締めこむことで回転を固定する構造でもよいだろう。
また、ボルト１３を取り去り、本体部６の自重による摩擦力やローレット等による凹凸嵌合構造を本体部６と基台部７の間に設けて本体部６と基台部７を止める構造にしておけば、収容部３等に溜まった水を抜く為に本体部６のみ持ち上げて流し台に持ち運ぶことが容易となり、軽くて楽な作業となるだろう。
【００１９】
本発明の第４実施形態は第３実施形態と共通する部分が多いので、主に違いについて図７に基づいて説明する。
【００２０】
本体部６は上下方向に長い半球状で底部が凸状球面１９であり、ここに曲面状の底部外郭５が配置される。
基台部７は円盤状で表面には凸状球面１９に嵌合する凹状球面が設けられている。
図７右図が第１状態で、そこから床面等の平面に対して１０度傾けたのが図７左図の第２状態である。
【００２１】
また本発明の第３及び第４実施形態において、軸線１７を中心とする回転軸構造の代わりに、第１実施形態のような長穴１２を用いた揺動構造を採用してもよいだろう。しかし、軸線１７を中心とする回転軸構造の方がより安定した細やかな角度調整が可能だろう。
【符号の説明】
【００２２】
１,２.                                開口
３,４.                                収容部
５.                                     底部外郭
６.                                     本体部
７.                                     基台部
８,９.                                筒状部
１０.                                 棒状部
１１.                                 接地部
１２.                                 長穴
１３.                                 ボルト
１４.                                 ブロック
１５.                                 割り
１６.                                 帯状部
１７.                                 軸線
１８.                                 点
１９.                                 凸状球面
【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
畳んだ傘の先端部がそれぞれの開口から挿入されることで前記畳んだ傘を立てることが可能な第１収容部及び第２収容部の間をつなぐ曲面状の底部外郭が配置される本体部と、
前記底部外郭を支持し平面に接地される基台部と、
を具備し、
前記基台部は前記平面に対する前記本体部の角度を曲面状の前記底部外郭の曲率中心をおよそ中心として調整可能に前記底部外郭を支持することを特徴とする、傘立て。
【請求項２】
畳んだ傘の先端部が開口から挿入されることで前記畳んだ傘を立てることが可能な収容部を備える本体部と、
軸線を中心として相対角度調整可能に前記本体部を支持し平面に接地される基台部と、
を具備し、
前記軸線は前記収容部に立てられた前記畳んだ傘の長手方向及び前記平面に垂直な方向のどちらの方向に対しても傾いていることを特徴とする、傘立て。
【手続補正２】
【補正対象書類名】明細書
【補正対象項目名】全文
【補正方法】変更
【補正の内容】
【発明の詳細な説明】
【技術分野】
【０００１】
本発明は、傘立てに関する。
【背景技術】
【０００２】
傘立てにおいては、特許文献１の実施例のように床面等の平面に接地される基台部から一体に立ち上がる本体部上端の複数の開口からそれぞれ基台部方向に延びる丸穴状の収容部が備えられる製品が知られている。このような製品では、畳まれた傘の先端部が開口から挿入され傘は収容部に直立保持される。
【先行技術文献】
【特許文献】
【０００３】
【特許文献１】実開平０６−０６６４６６号公報
【発明の概要】
【発明が解決しようとする課題】
【０００４】
傘立てにおいては、狭い設置場所に対応できる小型のものは傘を立てた状態で全体の重心が上がり安定感が低くなってしまう。また高比重素材で一体成形されたようなものは丈夫で全体の重心が下がり安定感が高くなるが、傘立て単体での重心が上がり安定感が低下し、且つ重過ぎて持ち運びや水抜きの際に不便である。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係る傘立ては、例えば図１から２の組み、図３から４の組み、図５から６の組み、のいずれかの組みのように、
畳んだ傘の先端部がそれぞれの開口１及び２から挿入されることで前記畳んだ傘を立てることが可能な収容部３及び４の間をつなぐ曲面状の底部外郭５が配置される本体部６と、
底部外郭５を支持し床面等の平面に接地される基台部７と、
を具備し、
基台部７は前記平面に対する本体部６の角度を曲面状の底部外郭５の曲率中心をおよそ中心として調整可能に底部外郭５を支持することを特徴とする、傘立てである。
【０００７】
発明２に係る傘立ては、例えば図５から６の組みのように、
畳んだ傘の先端部が開口１から挿入されることで前記畳んだ傘を立てることが可能な収容部３を備える本体部６と、
軸線１７を中心として相対角度調整可能に本体部６を支持し平面に接地される基台部７と、
を具備し、
軸線１７は収容部３に立てられた前記畳んだ傘の長手方向及び前記平面に垂直な方向のどちらの方向に対しても傾いていることを特徴とする、傘立てである。
【発明の効果】
【０００８】
以上のように本発明では、本体部６において傘を保持するのに適した構造や素材の選択、基台部７において床面等の平面に広く接地され且つ重心を低くするのに適した構造や素材の選択、水はけを考慮して斜面であることが多い玄関や軒下等に設置する際に傘を直立させ易くする為に角度調整機構を設ける為に、本体部６と基台部７が別体成形されても、調整し易く丈夫で安定した傘立ての設計が容易となる。
【０００９】
また発明１では、本発明の効果に加えて、曲面状の底部外郭５を合理的に使用した曲率半径の大きな相対角度調整可能な支持部構造設計が容易となる。
【００１０】
また発明２では、本発明の効果に加えて、軸線１７を中心に本体部６と基台部７を例えば１８０度相対回転させると床面等の平面に対して本体部６が１０度傾くというような、大きな回転角度で小さな傾きの調整が容易で、且つ傾きが不意に変化しないような設計が容易となる。
【図面の簡単な説明】
【００１１】
【図１】第１実施形態の第１状態を第三角法で表した図
【図２】第１実施形態の第２状態を第三角法で表した図
【図３】第２実施形態の第１状態を第三角法で表した図
【図４】第２実施形態の第２状態を第三角法で表した図
【図５】第３実施形態の第１状態を第三角法で表した図
【図６】第３実施形態の第２状態を第三角法で表した図
【図７】第４実施形態の第１及び第２状態を表した図
【発明を実施するための形態】
【００１２】
本発明の第１実施形態を図１から２に基づいて説明する。
【００１３】
本体部６は金属製の丸パイプをＵ字状に曲げたものであり、丸パイプの一端が筒状部８の内側の収容部３の開口１となっており、他端が筒状部９の内側の収容部４の開口２となっている。また筒状部８及び９をつなぐ棒状部１０も連続する筒状であり、内側は傘の先端の石突から滴る水の貯蔵が可能である。また、石突に合わせた内周形状となるように筒状部８及び９の内側に嵌る石突サポート部材を入れておいてもよいだろう。
基台部７は小判状のブロック１４が主であり、金属粉を配合した高比重樹脂成形品の裏面に貼られたゴム製の接地部１１が床面等の平面に接地され、表面の中央には棒状部１０の曲面状の底部外郭５と嵌合する凹形状が設けられており、凹形状の中央でブロック１４を貫通する長穴１２の一端を通るボルト１３の雄ネジが曲面状の底部外郭５に予め設けられた雌ネジと螺合し、本体部６と基台部７の固定手段となっている。図１の第１状態からこのボルト１３を緩めて基台部７を曲面状の底部外郭５に沿うように１０度揺動させると図２のような第２状態でボルト１３が長穴１２の他端に移動し、ボルト１３を締めるとその角度で固定できる。また、角度調整が第１及び第２状態の二段階のみでよい場合は、長穴１２ではなく長穴１２の一端及び他端の位置にボルト１３の雄ネジが通れる貫通穴を設けておけばよいだろう。
例えば玄関の内側に雨水が入ってこないように玄関の外側に向かって１０度で下っている所に第２状態の傘立てを設置すれば収容部３及び４に収容された傘が直立しやすくなるので、全体として安定感が高くなる。
また、基台部７を複数連結できる、例えばジグソーパズルのような構造を設けておけば、傘立てを複数並べた際により安定感が得られるだろう。
【００１４】
本発明の第２実施形態は第１実施形態と共通する部分が多いので、主に違いについて図３及び４に基づいて説明する。
【００１５】
第２実施形態の本体部６は第１実施形態の本体部６から雌ネジを取り去ったものである。
基台部７は平面状の接地部１１に垂直でブロック１４の長手方向に沿うように設けられた割り１５によっておよそ二分割され帯状部１６でつながっているブロック１４が主であり、均等な半径で曲げられた棒状部１０に帯状部１６が巻き回されブロック１４が棒状部１０に嵌合しており、割り１５を塞ぐよう締め付け可能に配置されたボルト１３によって本体部６と基台部７は固定されている。また、ブロック１４は柔軟性のある樹脂成形品で帯状部１６は屈曲自在であり、ブロック１４内部には錘となる金属片が埋め込まれている。
【００１６】
また本発明の第１及び第２実施形態において、本体部６の丸パイプの代わりに角パイプを用いてもよいだろう。
【００１７】
本発明の第３実施形態を図５から６に基づいて説明する。
【００１８】
本体部６は硬質ゴム製の円錐台状で上部には開口１及び２を含む５個の開口があり、それぞれが底面側に延びる丸穴状の収容部３及び４を含む５個の収容部の開口となっている。また底部全体が点１８を中心とする球面状に凹んでおり、この球面に曲面状の底部外郭５が配置される。
基台部７は金属製の円盤状で裏面の全面に貼られたゴムシートの接地部１１が床面等の平面に接地される。また表面は本体部６の底部の球面に嵌合する凸状球面１９である。
図５の第１状態で点１８を通り基台部７の裏面に垂直な方向から５度傾いた軸線１７を中心とする回転軸構造が本体部６と基台部７の間に設けられており、軸線１７を中心に本体部６と基台部７を相対回転させると床面等の平面に対する本体部６の角度調整可能であり、１８０度相対回転させることで図６の第２状態になり床面等の平面に対して本体部６が１０度傾く。例えば玄関の内側に雨水が入ってこないように玄関の外側に向かって１０度で下っている所に第２状態の傘立てを設置すれば収容部３及び４に収容された傘が直立しやすくなるので、全体として安定感が高くなる。
また、軸線１７を中心とする回転軸構造の軸線１７方向に対する抜け止めとしてボルト１３が設けられているが、ボルト１３を締めこむことで回転を固定する構造でもよいだろう。
また、ボルト１３を取り去り、本体部６の自重による摩擦力やローレット等による凹凸嵌合構造を本体部６と基台部７の間に設けて本体部６と基台部７を止める構造にしておけば、収容部３等に溜まった水を抜く為に本体部６のみ持ち上げて流し台に持ち運ぶことが容易となり、軽くて楽な作業となるだろう。
【００１９】
本発明の第４実施形態は第３実施形態と共通する部分が多いので、主に違いについて図７に基づいて説明する。
【００２０】
本体部６は上下方向に長い半球状で底部が凸状球面１９であり、ここに曲面状の底部外郭５が配置される。
基台部７は円盤状で表面には凸状球面１９に嵌合する凹状球面が設けられている。
図７右図が第１状態で、そこから床面等の平面に対して１０度傾けたのが図７左図の第２状態である。
【００２１】
また本発明の第３及び第４実施形態において、軸線１７を中心とする回転軸構造の代わりに、第１実施形態のような長穴１２を用いた揺動構造を採用してもよいだろう。しかし、軸線１７を中心とする回転軸構造の方がより安定した細やかな角度調整が可能だろう。
【符号の説明】
【００２２】
１,２.                                 開口
３,４.                                 収容部
５.                                      底部外郭
６.                                      本体部
７.                                      基台部
８,９.                                 筒状部
１０.                                  棒状部
１１.                                  接地部
１２.                                  長穴
１３.                                  ボルト
１４.                                  ブロック
１５.                                  割り
１６.                                  帯状部
１７.                                  軸線
１８.                                  点
１９.                                  凸状球面